(57)【要約】      （修正有）【課題】ねじや釘を正確な位置に正確な角度で打ち込むことができるようにしたねじ類打込み用のガイド治具を提供する。【解決手段】頂部１０Ａと該頂部の側部に連続する脚部１０Ｂとからなり、ねじ類３２を打ち込むべき部位である野地板２０に載置されるベース１０と、その中心軸線がベース頂部に対して垂直上方を指向するようにベース頂部に形成され、上面が開口されたガイド筒部１１と、ガイド筒部内にスライド自在に差し込まれて抜け止めされ、ベース頂部に対して垂直上方に伸びる支柱１２と、支柱の下端部１２Ａとベース頂部上面との間に縮装され、支柱を上方に付勢するばね部材１３と、ねじ類の打込み機３０をそのビット３１の軸線がベースの脚部の側方に位置しかつ垂直下方を指向するように支柱に固定する取付け具と、を備える。【選択図】図１
0003194525.tif 000002
【実用新案登録請求の範囲】
【請求項１】
打込み機によってねじ類を打ち込む際に、ねじ類の打込み位置及び打込み角度を案内するねじ類打込み用のガイド治具において、
頂部（１０Ａ）と該頂部（１０Ａ）の側部に連続する脚部（１０Ｂ）とからなり、ねじ類（３２）を打ち込むべき部位（２０）に載置されるベース（１０）と、
その中心軸線が上記ベース頂部（１０Ａ）に対して垂直上方を指向するように上記ベース頂部（１０Ａ）に形成され、上面が開口されたガイド筒部（１１）と、
該ガイド筒部（１１）内にスライド自在に差し込まれて抜け止めされ、上記ベース頂部（１０Ａ）に対して垂直上方に伸びる支柱（１２）と、
該支柱（１２）の下端部（１２Ａ）と上記ベース頂部（１０Ａ）上面との間に縮装され、上記支柱（１２）を上方に付勢するばね部材（１３）と、
ねじ類（３２）の打込み機（３０）をそのビット（３１）の軸線が上記ベース（１０）の脚部（１０Ｂ）の側方に位置しかつ垂直下方を指向するように上記支柱（１２）に固定する取付け具（１４）と、
を備えたことを特徴とするねじ類打込み用のガイド治具。
【請求項２】
上記ベース（１０）は、頂部（１０Ａ）の両側部に脚部（１０Ｂ）を連続させてなる門形状をなし、上記ガイド筒部（１１）は、上記ベース頂部（１０Ａ）の幅方向中央に形成され、上記取付け具（１４）は上記打込み機（３０）をそのビット（３１）の軸線が上記ベース（１０）の両脚部（１０Ｂ）間に位置して垂直下方を指向するように上記支柱（１２）に固定している請求項１記載のねじ類打込み用のガイド治具。
【請求項３】
上記ベース（１０）は、透明な合成樹脂材料で製作され、下方のねじ類（３２）を打ち込むべき部位（２０）を視認可能となっている請求項１記載のねじ類打込み用のガイド治具。
【請求項４】
上記ベース（１０）にはゲージ（１０Ｃ）が設けられている請求項３記載のねじ類打込み用のガイド治具。
【考案の詳細な説明】
【技術分野】
【０００１】
本考案はねじ類打込み用のガイド治具に関し、特にねじや釘を正確な位置に正確な角度で打ち込むことができるようにした治具に関する。
【背景技術】
【０００２】
例えば、屋根の野地板は屋根の垂木上に載せた野地板にねじや釘を打ち込み、野地板を垂木に固定することが行われる。また、家屋などのフローリングは家屋などの根太上に板材を載せ、板材にねじや釘を打ち込んで根太に固定することが行われる。
【０００３】
住宅などの施工においては大量のねじや釘（以下、単に「ねじ類」という）を打ち込む必要があることから、ねじ打ち機や釘打ち機（以下、単に「打込み機」という）を使用することが多い。この打込み機はビット先端にねじ類を保持し、野地板やフローリング材の打込み面に対してビットを垂直に保持し、高圧エアーや電気によって打込み機を駆動して、ねじ類を打ち込むという方式が採用されている。
【０００４】
このねじ類の打込み位置や打込み角度は野地板やフローリング材の固定強度に密接に関連することから、種々なガイドが提案されている。例えば、ガイド筒の前方に位置決め孔を有するシート部材を配置し、ガイド筒の内面によってねじ類の前進をガイドし、シート部材の位置決め孔によってねじ類の先端を位置決めして、ねじ類を正確に打ち込めるようにしたガイド治具が提案されている（特許文献１）。
【先行技術文献】
【特許文献】
【０００５】
【特許文献１】特開２００５−３２９４９０号公報
【考案の開示】
【考案が解決しようとする課題】
【０００６】
しかし、特許文献１記載のガイド治具では作業者がねじ類を打ち込むべき位置を視覚によって確認する際に、ガイド筒及びシート部材が邪魔になりやすく、打込み位置がずれることがあった。
【０００７】
本考案は、かかる問題点に鑑み、ねじ類を打ち込むべき位置を容易に確認でき、ねじ類を正確な位置及び角度で打ち込むことができるようにしたねじ類打込み用のガイド治具を提供することを課題とする。
【課題を解決するための手段】
【０００８】
そこで、本考案に係るねじ類打込み用のガイド治具は、打込み機によってねじ類を打ち込む際に、ねじ類の打込み位置及び打込み角度を案内するねじ類打込み用のガイド治具において、頂部と該頂部の側部に連続する脚部とからなり、ねじ類を打ち込むべき部位に載置されるベースと、その中心軸線が上記ベース頂部に対して垂直上方を指向されるように上記ベース頂部に形成され、上面が開口されたガイド筒部と、該ガイド筒部内にスライド自在に差し込まれて抜け止めされ、上記ベース頂部に対して垂直上方に伸びる支柱と、該支柱の下端部と上記ベース頂部上面との間に縮装され、上記支柱を上方に付勢するばね部材と、ねじ類の打込み機をそのビットの軸線が上記ベースの脚部の側方に位置しかつ垂直下方を指向するように上記支柱に固定する取付け具と、を備えたことを特徴とする。
【０００９】
本考案の特徴の１つはベースに支柱を上下スライド自在に設け、支柱にねじ類の打込み機をそのビットの軸線がベースの脚部の側方に位置しかつ垂直下方を指向するように固定するようにした点にある。
【００１０】
これにより、ビットにねじ類を保持して打込み機を下方に押し付けると、支柱が下方にスライドしてねじ類が打ち込むべき部位に押し付けられるので、打込み機を作動させると、ねじ類が打ち込まれる。
【００１１】
このとき、作業者はねじ類の先端及び打ち込むべき部位を視覚によって確認することができ、しかも支柱の下方スライドがガイド筒部によって正確に案内されるので、ねじ類を正確な位置に正確な角度で打ち込むことができる。
【００１２】
ベースは頂部の側部に脚部を連続させた逆Ｌ字状であってもよいが、頂部の両側部に脚部を連続させた門形状とすると、打込み機を案内に下方に押し付けることができ、ねじ類のより一層正確な打込みが可能となる。
【００１３】
すなわち、ベースは頂部の両側部に脚部を連続させてなる門形状となし、ガイド筒部はベース頂部の幅方向中央に形成し、取付け具は打込み機をそのビットの軸線がベースの両脚部間に位置して垂直下方を指向するように支柱に固定するのが好ましい。
【００１４】
ベース形状の特徴に起因してねじ類の先端及び打ち込むべき部位を視覚によって確認することができるが、ベースを透明にすると、ねじ類を打ち込むべき部位を広い範囲にわたって確認することができ、ねじ類の打込み作業性を向上することができる。また、ベースの材料は金属材料や木材であってもよく、又合成樹脂材料であってもよい。
【００１５】
すなわち、ベースは透明な合成樹脂材料で製作し、下方のねじ類を打ち込むべき部位を視認可能となすのが好ましい。
【００１６】
また、ベースはねじ類を打ち込むべき平面を考慮すると平板状とするのが好ましいが、凹凸状の部位にねじ類を打ち込む場合もあることを考慮すると、頂部と脚部とを有するブロック状に形成してもよい。
【００１７】
取付け具は打込み機を支柱に固定できればよいが、固定位置を調整して打込み機のストロークを変更できるようにするのが好ましい。
【図面の簡単な説明】
【００１８】
【図１】本考案に係るねじ類打込み用のガイド治具の好ましい実施形態を示す概略側面構成図である。
【図２】上記実施形態におけるベース、ガイド筒部及び支柱の関係を示す概略平面図である。
【考案を実施するための形態】
【００１９】
以下、本考案を図面に示す具体例に基づいて詳細に説明する。図１及び図２は本考案に係るねじ類打込み用のガイド治具に係る好ましい実施形態を示す。図において、ベース１０は透明なアクリル樹脂を用いて、頂部１０Ａと頂部１０Ａ両側端部から下方に伸びる脚部１０Ｂとからなる門形板状に製作され、ベース１０の頂部１０Ａ及び脚部１０Ｂにはゲージ１０Ｃが横方向及び縦方向に伸びて設けられている。
【００２０】
ベース１０の頂部１０Ａの幅方向中央には円筒状のガイド筒部１１がその中心軸線がベース頂部１０Ａに対して垂直上方を指向するように形成され、ガイド筒部１１は上面が開口され、上端縁部には抜け止め用の突縁部１１Ａが形成されている。
【００２１】
ガイド筒部１１内には支柱１２がスライド自在に差し込まれ、支柱１２の下端には円形の大径部１２Ａが形成され、大径部１２Ａとベース１０の頂部１０Ａ上面との間にはコイルばね１３が縮装され、支柱１２はコイルばね１３によって上方に付勢されている。
【００２２】
また、支柱１２にはねじ（ねじ類）３２の打込み機３０が取付け金具１４とボルト・ナットとによって取り付けられ、打込み機３０のビット３１の軸線はベース１０の両脚部１０Ｂの間に位置して垂直下方を指向されている。
【００２３】
野地板２０をねじ３２で垂木２１に固定する場合、屋根の垂木２１上に野地板２０を載せる一方、打込み機３０のビット３１にねじ３２を磁石や負圧などによって保持し、打込み機３０を高圧エアーや通電によって作動させ、打込み機３０を下方に押すと、支柱１２がコイルばね１３の付勢力に抗して下方にスライドし、ねじ３２が野地板２０に対して正確な位置で正確な方向に打ち込まれる。
【００２４】
このとき、ねじ３２がベース１０の両脚部１０Ｂの間にて垂直下方を指向され、作業者はねじ類の先端及び打ち込むべき部位を視覚によって確認することができ、しかも支柱１２の下方スライドがガイド筒部１１によって正確に案内されるので、ねじ３２を正確な位置に正確な角度で打ち込むことができる。
【００２５】
また、ベース１０にはゲージ１０Ｃが設けられているので、ねじ３２を打ち込むべき位置を正確に求めることができる。
【００２６】
なお、上記の例ではベース１０を門形状としたが、逆Ｌ字状としてもよい。また、ねじではなく、釘であってもよい。
【符号の説明】
【００２７】
１０      ベース
１０Ａ      頂部
１０Ｂ      脚部
１０Ｃ      ゲージ
１２      支柱
１２Ａ      下端部
１３      コイルばね
１４      取付け金具
２０      野地板
３０      打込み具
３１      ビット
３２      ねじ
【図１】
0003194525.tif 000003
【図２】
0003194525.tif 000004